(57)【要約】【課題】本発明は、タッチスクリーン上の複数の接触点を検出するシステム及び方法を提供する。【解決手段】本発明のある態様によると、２つの導電層の４個の端子で読み出された電圧を収集する機構が提供される。基準電圧又は端子の４個の端子の何れか１つへの印加を変更することにより、少なくとも４個の電圧が当該４個の端子から読み出され得る。これらの電圧は、一連の式に従いマイクロプロセッサーで処理され当該タッチスクリーン上の接触点の数及び座標を決定するためにデジタル電圧に変換される。【選択図】図３Ａ
2009282586.tif 000002
【特許請求の範囲】
【請求項１】
それぞれ正端子と負端子とを備えた第１の導電層と第２の導電層とを有する抵抗性タッチスクリーン上の１又は複数の接触点を検出する方法であって、
前記第２の導電層の前記正端子を正の基準電圧に設定する段階、
前記第２の導電層の前記負端子を負の基準電圧に設定する段階、
前記第１の導電層の前記正端子の電圧値V1と前記第１の導電層の前記負端子の電圧値V2とを測定する段階、
前記第１の導電層の前記正端子を正の基準電圧に設定する段階、
前記第１の導電層の前記負端子を負の基準電圧に設定する段階、
前記第２の導電層の前記正端子の電圧値V３と前記第２の導電層の前記負端子の電圧値V４とを測定する段階、及び
前記電圧値V1乃至V4に従い前記抵抗性タッチスクリーン上の接触点を検出する段階、を有する方法。
【請求項２】
前記第１の導電層はx軸に沿って延在しx導電層と称され、前記第２の導電層はy軸に沿って延在しy導電層と称され、
前記電圧値V1乃至V4に従い前記抵抗性タッチスクリーン上の接触点を検出する段階は、
前記電圧値V1とV2との間の第１の差分V1−V2、前記電圧値V３とV４との間の第２の差分V３−V４を求める段階、
前記第１の差分V1−V2を第１の閾値THD1及び第２の閾値THD2と比較し、前記第２の差分V３−V４を前記第１の閾値THD1及び前記第２の閾値THD2と比較する段階、
THD1≦V1−V2≦THD2且つTHD1≦V3−V4≦THD2の場合、前記抵抗性タッチスクリーン上に単一の接触点又は同一のx又はy座標を有する２つの接触点があると示す段階、
その他の場合、前記抵抗性タッチスクリーン上に異なるx及びy座標を有する２つの接触点があると示す段階、を有し、
前記第１の閾値THD1はゼロより小さいか又はゼロに等しく、前記第２の閾値THD２はゼロより大きいか又はゼロに等しい、請求項１記載の方法。
【請求項３】
前記抵抗性タッチスクリーン上に異なるx及びy座標を有する２つの接触点があると示す段階は、
x2＞x1且つy2＞y1、x1及びy1は第１の接触点のx及びy座標を表し、x2及びy2は第２の接触点のx及びy座標を表すとき、V1−V2＞THD2且つV3−V4＞THD2の場合、前記抵抗性タッチスクリーン上に２つの接触点があると示す段階、及び
x2＞x1且つy2＜y1のとき、V1−V2＜THD1且つV3−V4＜THD1の場合、前記抵抗性タッチスクリーン上に２つの接触点があると示す段階、を有する、請求項２記載の方法。
【請求項４】
前記抵抗性タッチスクリーン上に単一の接触点又は同一のx又はy座標を有する２つの接触点があると示す段階の後、
前記y導電層の前記正端子を前記正の基準電圧に設定し、前記x導電層の前記負端子を前記負の基準電圧に設定し、及び前記x導電層の前記負端子の電圧値V5と前記y導電層の前記負端子の電圧値V６とを測定する段階、
２つの異なる方法により、前記電圧値V5と前記電圧値V６とに従い、仮定接触点の接触抵抗の第１の値Rz1及び第２の値Rz2を求める段階、
前記第１の値Rz1と第２の値Rz2との間の差分値Rz1−Rz2を求め、前記差分値Rz1−Rz2を第３の閾値THD3及び第４の閾値THD４と比較する段階、
THD3≦Rz1−Rz2≦THD4の場合、前記抵抗性タッチスクリーン上に単一の接触点があると示す段階、
Rz1−Rz2＞THD4の場合、同一のx座標を有する２つの接触点があると示す段階、及び
Rz1−Rz2<THD3の場合、同一のy座標を有する２つの接触点があると示す段階、を有し、
前記第３の閾値THD3はゼロより小さいか又はゼロに等しく、前記第４の閾値THD４はゼロより大きいか又はゼロに等しい、請求項２記載の方法。
【請求項５】
現在の差分値DCURと前の差分値DPREとの間の差分DCUR−DPREに従い、同一のx座標を有する２つの接触点の動向を決定する段階、を更に有する請求項４記載の方法。
【請求項６】
現在の差分値DCURと前の差分値DPREとの間の差分DCUR−DPREに従い、同一のx座標を有する２つの接触点の動向を決定する段階は、Delta_limitがゼロより大きいか又はゼロに等しいとすると、
DCUR−DPRE＞Delta＿limitの場合、同一のx座標を有する２つの接触点は互いに後退するように動くと示す段階、及び
DCUR−DPRE＜−Delta＿limitの場合、同一のx座標を有する２つの接触点は互いに前進するように動くと示す段階、を有する、請求項5記載の方法。
【請求項７】
現在の差分値DCURと前の差分値DPREとの間の差分DCUR−DPREに従い、同一のy座標を有する２つの接触点の動向を決定する段階、を更に有する請求項４記載の方法。
【請求項８】
現在の差分値DCURと前の差分値DPREとの間の差分DCUR−DPREに従い、同一のy座標を有する２つの接触点の動向を決定する段階は、delta_limitがゼロより大きいか又はゼロに等しいとすると、
DCUR−DPRE＞Delta＿limitの場合、同一のy座標を有する２つの接触点は互いに前進するように動くと示す段階、及び
DCUR−DPRE＜−Delta＿limitの場合、同一のy座標を有する２つの接触点は互いに後退するように動くと示す段階、を有する、請求項7記載の方法。
【請求項９】
前記電圧値V5及びV6に従い前記y軸方向に沿った前記２つの接触点の間の抵抗値R5を求める段階、
前記抵抗値R5に従い前記同一のx座標を有する２つの接触点の動向を決定する段階、を更に有する請求項４記載の方法。
【請求項１０】
前記電圧値V5及びV6に従い前記x軸方向に沿った前記２つの接触点の間の抵抗値R2を求める段階、
前記抵抗値R2に従い前記同一のy座標を有する２つの接触点の動向を決定する段階、を更に有する請求項４記載の方法。
【請求項１１】
前記抵抗性タッチスクリーン上に２つの接触点があると示す段階の後、x2＞x1且つy2＞y1のとき、
前記y導電層の前記正端子を前記正の基準電圧に設定し、前記x導電層の前記負端子を前記負の基準電圧に設定し、及び前記x導電層の前記正端子の電圧値V5と前記y導電層の前記負端子の電圧値V６とを測定する段階、及び
前記電圧値V1乃至V６に従い前記２つの接触点の座標を求める段階、を更に有する請求項３記載の方法。
【請求項１２】
前記抵抗性タッチスクリーン上に２つの接触点があると示す段階の後、x2＞x1且つy2＞y1のとき、
前記y導電層の前記正端子を前記正の基準電圧に設定し、前記x導電層の前記負端子を前記負の基準電圧に設定し、及び前記x導電層の前記正端子の電圧値V5と前記y導電層の前記負端子の電圧値V６とを測定する段階、及び
前記電圧値V1乃至V６に従い前記２つの接触点の座標を求める段階、を更に有する請求項３記載の方法。
【請求項１３】
前記抵抗性タッチスクリーン上に２つの接触点があると示す段階の後、x2＞x1且つy2＞y1のとき、
前記y導電層の前記正端子を前記正の基準電圧に設定し、前記x導電層の前記負端子を前記負の基準電圧に設定し、及び前記x導電層の前記正端子の電圧値V5と前記y導電層の前記負端子の電圧値V６とを測定する段階、
前記第１の接触点の接触抵抗は前記第２の接触点の接触抵抗と等しく、前記第１の接触点は前記第２の接触点と前記抵抗性タッチスクリーンの中心に対し中心対称であると仮定する段階、
前記電圧値V３乃至V６に従い前記２つの接触点の間の距離を求める段階、及び
前記距離に従い前記２つの接触点の動向を決定する段階、を更に有する請求項３記載の方法。
【請求項１４】
前記抵抗性タッチスクリーン上に２つの接触点があると示す段階の後、x2＞x1且つy2＜y1のとき、
前記y導電層の前記正端子を前記正の基準電圧に設定し、前記x導電層の前記負端子を前記負の基準電圧に設定し、及び前記x導電層の前記正端子の電圧値V5と前記y導電層の前記負端子の電圧値V６とを測定する段階、
前記第１の接触点の接触抵抗は前記第２の接触点の接触抵抗と等しく、前記第１の接触点は前記第２の接触点と前記抵抗性タッチスクリーンの中心に対し中心対称であると仮定する段階、
前記電圧値V３乃至V６に従い前記２つの接触点の間の距離を求める段階、及び
前記距離に従い前記２つの接触点の動向を決定する段階、を更に有する請求項３記載の方法。
【請求項１５】
前記負の基準電圧は接地である、請求項１記載の方法。
【請求項１６】
それぞれ正端子と負端子とを備えた第１の導電層と第２の導電層とを有し合計４個の端子を有する抵抗性タッチスクリーン上の少なくとも１つの接触点を検出するシステムであって、
基準電圧又は接地の何れかを前記４個の端子のうちの１又は複数に少なくとも６個の方法で印加することにより前記４個の端子の少なくとも６個の電圧を測定する少なくとも６個の測定モードを有し、前記抵抗性タッチスクリーンの測定モードを選択するセレクタ、
前記少なくとも６個の測定モードのそれぞれで得られたアナログ電圧値を対応するデジタル電圧値に変換し、少なくとも６個のデジタル電圧値を得るアナログ−デジタル変換器、及び
前記６個のデジタル電圧値を受信し、前記６個のデジタル電圧値を一連の式に従い処理し、前記少なくとも１つの接触点の前記抵抗性タッチスクリーン上の座標を導出するマイクロプロセッサー、を有するシステム。
【請求項１７】
前記少なくとも６個の測定モードは、
正の基準電圧を前記第２の導電層の前記正端子に印加し、負の基準電圧を前記第２の導電層の前記負端子に印加し、前記第１の導電層の前記正端子は電圧V1が測定される測定端子として選択される、第１の測定モード、
前記正の基準電圧を前記第２の導電層の前記正端子に印加し、負の基準電圧を前記第２の導電層の前記負端子に印加し、前記第１の導電層の前記負端子は電圧V２が測定される測定端子として選択される、第２の測定モード、
前記正の基準電圧を前記第１の導電層の前記正端子に印加し、負の基準電圧を前記第１の導電層の前記負端子に印加し、前記第２の導電層の前記正端子は電圧V３が測定される測定端子として選択される、第３の測定モード、
前記正の基準電圧を前記第１の導電層の前記正端子に印加し、負の基準電圧を前記第１の導電層の前記負端子に印加し、前記第２の導電層の前記負端子は電圧V４が測定される測定端子として選択される、第４の測定モード、
前記正の基準電圧を前記第２の導電層の前記正端子に印加し、負の基準電圧を前記第１の導電層の前記負端子に印加し、前記第１の導電層の前記正端子は電圧V５が測定される測定端子として選択される、第５の測定モード、及び
前記正の基準電圧を前記第２の導電層の前記正端子に印加し、負の基準電圧を前記第１の導電層の前記負端子に印加し、前記第２の導電層の前記負端子は電圧V６が測定される測定端子として選択される、第６の測定モード、を有する、請求項１６記載のシステム。
【請求項１８】
前記セレクタは正の基準電圧セレクタ、負の基準電圧セレクタ、測定端子セレクタ、及びモード制御部を有し、
前記モード制御部は、各測定モードで前記正の基準電圧セレクタ、前記負の基準電圧セレクタ、及び前記測定端子セレクタの選択を制御し、
前記正の基準電圧セレクタは、前記第１の導電層の前記正端子と前記第２の導電層の前記正端子から、前記正の基準電圧と接続されるべき１つを選択し、
前記負の基準電圧セレクタは、前記第１の導電層の前記負端子と前記第２の導電層の前記負端子から、前記負の基準電圧と接続されるべき１つを選択し、
前記測定端子セレクタは、前記２つの導電層の前記４つの端子から１つを前記測定端子として選択する、請求項１７記載のシステム。
【請求項１９】
x1及びy1は第１の接触点のx及びy座標を表し、x2及びy2は第２の接触点のx及びy座標を表すとき、
V1=V2且つV3=4の場合、前記マイクロプロセッサーは、前記抵抗性タッチスクリーン上に単一の接触点又は同一のx又はy座標を有する２つの接触点があると判断し、
x2＞x1且つy2＞y1のとき、V1＞V2且つV3＞4の場合、前記マイクロプロセッサーは、前記抵抗性タッチスクリーン上に２つの接触点があると判断し、
x2＞x1且つy2＜y1のとき、V1＜V2且つV3＜4の場合、前記マイクロプロセッサーは、前記抵抗性タッチスクリーン上に２つの接触点があると判断する、請求項１８記載のシステム。
【請求項２０】
それぞれ正端子と負端子とを備えた第１の導電層と第２の導電層とを有し合計で４個の端子を有し合計４個の端子を有する抵抗性タッチスクリーン上の少なくとも１つの接触点を検出する方法であって、
前記第２の導電層の前記正端子を正の基準電圧に設定し、前記第２の導電層の前記負端子を負の基準電圧に設定し、前記第１の導電層の前記正端子の電圧値V1と前記第１の導電層の前記負端子の電圧値V2とを測定する段階、
前記第１の導電層の前記正端子を正の基準電圧に設定し、前記第１の導電層の前記負端子を負の基準電圧に設定し、前記第２の導電層の前記正端子の電圧値V３と前記第２の導電層の前記負端子の電圧値V４とを測定する段階、及び
前記第２の導電層の前記正端子を正の基準電圧に設定し、前記第１の導電層の前記負端子を負の基準電圧に設定し、前記第１の導電層の前記正端子の電圧値V5と前記第２の導電層の前記負端子の電圧値V６とを測定する段階、を有する方法。
【請求項２１】
前記電圧値V1乃至V4に従い２つの接触点の分布を決定する段階、を更に有する請求項20記載の方法。
【請求項２２】
前記第１の導電層はx軸に沿って延在しx導電層と称され、前記第２の導電層はy軸に沿って延在しy導電層と称され、
前記電圧値V1乃至V4に従い前記抵抗性タッチスクリーン上の接触点の分布を検出する段階は、
前記電圧値V1とV2との間の第１の差分V1−V2、前記電圧値V３とV４との間の第２の差分V３−V４を求める段階、
前記第１の差分V1−V2を第１の閾値THD1及び第２の閾値THD2と比較し、前記第２の差分V３−V４を前記第１の閾値THD1及び前記第２の閾値THD2と比較する段階、及び
x2＞x1且つy2＞y1であり、x1及びy1は第１の接触点のx及びy座標を表し、x2及びy2は第２の接触点のx及びy座標を表すとき、V1−V2＞THD2且つV3−V4＞THD2の場合、前記抵抗性タッチスクリーン上に２つの接触点があると示す段階、
x2＞x1且つy2＜y1であり、前記第１の閾値THD1はゼロより小さいか又はゼロに等しく、前記第２の閾値THD２はゼロより大きいか又はゼロに等しいとき、V1−V2＜THD1且つV3−V4＜THD1の場合、前記抵抗性タッチスクリーン上に２つの接触点があると示す段階、を有する請求項２１記載の方法。
【発明の詳細な説明】
【技術分野】
【０００１】
本発明は、タッチスクリーンのための技術に関し、より詳細にはタッチスクリーン上の接触点を検出する技術に関する。
【背景技術】
【０００２】
タッチスクリーンは、電子システムに情報を入力する主要な手段になりつつある。複数の接触点を検出する技術はタッチスクリーンの分野で魅力的である。しかしながら、複数の接触点を検出する技術は、主に光学タッチスクリーンに実装され、大部分の消費者には非常に高価である。
【０００３】
図１Ａは、従来の４線抵抗性タッチスクリーンを示す概略図である。４線抵抗性タッチスクリーンは、x軸方向に沿ったx導電層、及びx軸方向と垂直であるy軸方向に沿ったy導電層を有する。x導電層は、x軸方向に当該x導電層の端に正端子XP及び負端子XNを有する。y導電層は、y軸方向に当該y導電層の端に正端子YP及び負端子YNを有する。x導電層は、スペーサによりy導電層と物理的に離れている。十分な圧力を有する接触点P1が抵抗性タッチスクリーンに現れると、x導電層はy導電層と接触点P1で接触し得る。図１Ｂは、単一の接触点が抵抗性タッチスクリーンに存在する場合の、抵抗性タッチスクリーンの等価電気回路を示す回路図である。
【０００４】
Rxplateは、負端子XNから正端子XPまでのx導電層の総抵抗値を表すために設けられている。各導電層は各方向に沿って均一な線形抵抗を有するので、接触点P1は、それぞれXP及びXNからのP1の距離に比例して総抵抗値Rxplateを抵抗R1とR3とに分割する。Ryplateは、負端子YNから正端子YPまでのy導電層の総抵抗値を表すために設けられている。接触点P1は、それぞれYP及びYNからのP1の距離に比例して総抵抗値Ryplateを抵抗R4とR6とに分割する。Rzは、接触点P1におけるx導電層とy導電層との間の接触抵抗値を表すために設けられている。抵抗値Rzは、接触点P1の圧力に関連する。従って、抵抗値R3及びR6が求められると、接触点P1のx及びy座標が求められる。
【０００５】
一般に、抵抗値R3及びR6を得るためには２回の測定が必要である。１回目の測定では、端子XPは正の基準電圧Vref＋と接続され、端子XNは負の基準電圧Vref−、例えば接地と接続され、端子YPの電圧値V3が測定される。次に、図１Ｂに示された等価回路により次式を得る。
V3/R3＝VREF/Rxplate
上式を変形し、次式を得る。
R3＝Rxplate＊V3/VREF  (式１)
ここで、VREFは正の基準電圧Vref+と負の基準電圧Vref−との間の電位差を表す。
【０００６】
２回目の測定では、端子YPは基準電圧Vref+と接続され、端子YNは接地され、端子XPの電圧値V1が測定される。次に、図１Ｂに示された等価回路により次式を得る。
V1/R6＝VREF/Ryplate
上式を変形し、次式を得る。
R6＝Ryplate＊V1/VREF  (式2)
ここで、VREFは正の基準電圧Vref+と負の基準電圧Vref−との間の電位差を表す。
抵抗値R3及びR6が求められた後、接触点P1のx及びy座標が続いて求められる。しかしながら、従来の４線抵抗性タッチスクリーンは、タッチスクリーン上の単一の接触点のみを検出する。
【発明の開示】
【発明が解決しようとする課題】
【０００７】
複数の接触点が検出され得る場合がある。従って、抵抗性タッチスクリーン上の複数の接触点を検出する改良された技術が必要である。
【課題を解決するための手段】
【０００８】
以下に本発明のいくつかの態様を纏める目的で、いくつかの好適な実施例を簡単に紹介する。本節、及び要旨又は詳細な説明の標題は、本節、要旨、及び標題の目的が不明瞭になることを避けるため、簡略化又は省略される。このような簡略化又は省略は本発明の範囲を制限するものではない。
【０００９】
一般に、本発明は、タッチスクリーン上の複数の接触点を検出する技術に関連する。本発明のある態様によると、２つの導電層の４個の端子で読み出された電圧を収集する機構が提供される。基準電圧又は端子の４個の端子の何れか１つへの印加を変更することにより、少なくとも４個の電圧が当該４個の端子から読み出され得る。これらの電圧は、一連の式に従いマイクロプロセッサーで処理され当該タッチスクリーン上の接触点の数及び座標を決定するためにデジタル電圧に変換される。
【００１０】
本発明は方法、システム、又はシステムの部分として実施されて良い。ある実施例によると、本発明は、それぞれ正端子と負端子とを備えた第１の導電層と第２の導電層とを有し合計４個の端子を有する抵抗性タッチスクリーン上の１又は複数の接触点を検出する方法である。当該方法は、前記第２の導電層の前記正端子を正の基準電圧に設定する段階、前記第２の導電層の前記負端子を負の基準電圧に設定する段階、前記第１の導電層の前記正端子の電圧値V1と前記第１の導電層の前記負端子の電圧値V2とを測定する段階、前記第１の導電層の前記正端子を正の基準電圧に設定する段階、前記第１の導電層の前記負端子を負の基準電圧に設定する段階、前記第２の導電層の前記正端子の電圧値V３と前記第２の導電層の前記負端子の電圧値V４とを測定する段階、及び前記電圧値V1乃至V4に従い前記抵抗性タッチスクリーン上の接触点を検出する段階、を有する。
【００１１】
別の実施例によると、本発明は、それぞれ正端子と負端子とを備えた第１の導電層と第２の導電層とを有し合計４個の端子を有する抵抗性タッチスクリーン上の少なくとも１つの接触点を検出するシステムである。当該システムは、基準電圧又は接地の何れかを前記４個の端子のうちの１又は複数に少なくとも６個の方法で印加することにより前記４個の端子の少なくとも６個の電圧を測定する少なくとも６個の測定モードを有し、前記抵抗性タッチスクリーンの測定モードを選択するセレクタ、前記少なくとも６個の測定モードのそれぞれで得られたアナログ電圧値を対応するデジタル電圧値に変換し、少なくとも６個のデジタル電圧値を得るアナログ−デジタル変換器、及び前記６個のデジタル電圧値を受信し、前記６個のデジタル電圧値を一連の式に従い処理し、前記少なくとも１つの接触点の前記抵抗性タッチスクリーン上の座標を導出するマイクロプロセッサー、を有する。
【００１２】
本発明の特徴、利点、及び利益の１つは、タッチスクリーン上の１より多い接触点を検出する技術を提供することである。
【００１３】
本発明の他の目的、特徴及び利点は、以下の本発明の実施例の詳細な記載を添付の図面と関連して読むことにより明らかである。
【発明を実施するための最良の形態】
【００１４】
上述及び他の本発明の特徴、態様、及び利点は、以下の説明、特許請求の範囲、及び添付の図面を参照して一層理解されるだろう。
【００１５】
本発明の詳細な説明は、主として手順、段階、論理ブロック、処理、又は直接又は間接に本発明で意図された装置若しくはシステムの動作を象徴する他の象徴的表現で提示される。これらの記載及び表現は、当業者が彼らの作業内容を他の当業者へ最も効率的に伝達するために標準的に用いるものである。
【００１６】
明細書で、「１つの実施例」又は「ある実施例」の語は、実施例と関連して記載された特定の機能、構造、又は特徴が本発明の少なくとも１つの実施例に含まれることを意味する。本願明細書を通じて各所に現れる「１つの実施例では」の句は、必ずしも全て同一の実施例を参照するものではなく、又は他の実施例と相互排他的な実施例を分離若しくは置き換えるものではない。更に、処理フローチャート若しくは図中のブロックの順序、又は本発明の１又は複数の実施例を表す連続番号は、如何なる特定の順序を本質的に示すものではなく、又は本発明の如何なる限定を示唆するものでもない。
【００１７】
本発明の実施例は、図１乃至１１を参照して本願明細書で議論される。しかしながら、当業者は、本願明細書に図を参照して与えられる詳細な記載が単に説明を目的とするものであり、本発明はこれら限定的な実施例に制限されないことを直ちに理解するだろう。
【００１８】
本発明のある実施例によると、抵抗性タッチスクリーン上の複数の接触点を検出するシステムが提供される。図２は、抵抗性タッチスクリーン上の複数の接触点を検出する改良された技術が必要である。システム２００は、単一の接触点だけでなく、複数の接触点の検出に対応し得る。図２に示されるように、システム２００は、抵抗性タッチスクリーン２２０、セレクタ２４０、アナログ−デジタル変換器(ＡＤＣ)２６０、及びマイクロプロセッサー２８０を有する。
【００１９】
抵抗性タッチスクリーン２２０は、x軸方向に沿ったx導電層、及びx軸方向と垂直であるy軸方向に沿ったy導電層を有する。x導電層は、x軸方向に当該x導電層の端に正端子XP及び負端子XNを有する。y導電層は、y軸方向に当該y導電層の端に正端子YP及び負端子YNを有する。各導電層は、それぞれの方向に沿って均一な線形の抵抗を有する。ある実施例では、Rxplateは、負端子XNから正端子XPまでのx導電層の、一般に約３００Ωである総抵抗値を表すために設けられている。Ryplateは、負端子YNから正端子YPまでのy導電層の、一般に約７００Ωである総抵抗値を表すために設けられている。x導電層は、間隙又はスペーサによりy導電層と物理的に離れている。十分な圧力を有する１つの接触点が抵抗性タッチスクリーン２２０に現れると、x導電層はy導電層と接触点で接触する。
【００２０】
図３Ａは、x2＞x1且つy2＞y1のときの抵抗性タッチスクリーンに２つの接触点がある場合の抵抗性タッチスクリーン２２０を概略的に示す。ここで、x2及びy2は第２の接触点P2のx及びy座標を表し、x1及びy1は第２の接触点P1のx及びy座標を表す。図３Ｂは、図３Ａに示された抵抗性タッチスクリーン２２０の等価回路を示す。
【００２１】
図４Ａは、x2＞x1且つy1＞y2のときの抵抗性タッチスクリーン上に２つの接触点P1、P2がある場合の抵抗性タッチスクリーン２２０を概略的に示す。図４Ｂは、図４Ａに示された抵抗性タッチスクリーン２２０の等価回路を示す。図５Ａは、x2＞x1且つy1＝y2のときの抵抗性タッチスクリーン上に２つの接触点がある場合の抵抗性タッチスクリーン２２０を概略的に示す。図５Ｂは、図５Ａに示された抵抗性タッチスクリーン２２０の等価回路を示す。図６Ａは、x2＝x1且つy1＜y2のときの抵抗性タッチスクリーン上に２つの接触点がある場合の抵抗性タッチスクリーン２２０を概略的に示す。図６Ｂは、図６Ａに示された抵抗性タッチスクリーン２２０の等価回路を示す。
【００２２】
ある実施例によると、セレクタ２４０は抵抗性タッチスクリーン２２０の測定モードを選択する。セレクタ２４０は６個の利用可能な測定モードを有する。第１の測定モードは、正の基準電圧Vref+を端子YPへ供給し、負の基準電圧Vref−を端子YNへ供給し、端子XPは電圧V1が測定される測定端子として選択される。ある実施例では、負の基準電圧Vref−として接地が用いられる。第２の測定モードは、正の基準電圧Vref+を端子YPへ供給し、端子YNを接地し、端子XNは電圧V2が測定される測定端子として選択される。第３の測定モードは、正の基準電圧Vref+を端子XPへ供給し、端子XNを接地し、端子YPは電圧V3が測定される測定端子として選択される。第４の測定モードは、正の基準電圧Vref+を端子XPへ供給し、端子XNを接地し、端子YNは電圧V4が測定される測定端子として選択される。第５の測定モードは、正の基準電圧Vref+を端子YPへ供給し、端子XNを接地し、端子XPは電圧V5が測定される測定端子として選択される。第６の測定モードは、正の基準電圧Vref+を端子YPへ供給し、端子XNを接地し、端子YNは電圧V6が測定される測定端子として選択される。測定端子は、ＡＤＣ２６０と接続される、セレクタ２４０の出力端子として動作する。
【００２３】
図7は、本発明のある実施例によるセレクタ２４０の構造の例を示すブロック図である。セレクタ２４０は、正の基準電圧(Vref+)セレクタ２４２、負の基準電圧(Vref−)セレクタ２４４、測定端子セレクタ２４６、及びモード制御部２４８を有する。モード制御部２４８は、各測定モードで、Vref+セレクタ２４２、Vref−セレクタ２４４、及び測定端子セレクタ２４６を制御するために設けられる。Vref+セレクタ２４２は、端子YP及び端子XPから正の基準電圧Vref+に接続されるべき１つを選択するために設けられる。Vref−セレクタ244は、端子YN及び端子XNから負の基準電圧Vref−に接続されるべき１つを選択するために設けられる。測定端子セレクタ246は、端子YP、YN、XP、XNから測定端子として１つを選択するために設けられる。
【００２４】
再び図を参照すると、ＡＤＣ２６０は、アナログ測定電圧V1−V6をデジタル測定電圧V1−V6に変換する。ＡＤＣ２６０の精度は１０ビット又は１２ビット等であって良い。ＡＤＣ２６０の精度が１２ビットの場合、各導電層は、各方向に沿って212＝4096分割の分解能で分割されて良い。従って、正の基準電圧と負の基準電圧との間の電位差Ｖｒｅｆは、以下の実施例では計算を簡単にするため４０９６に設定されて良い。
【００２５】
マイクロプロセッサー２８０は、デジタル測定電圧V1−V6を受信し、デジタル測定電圧V1−V6に従い決定を行う。
【００２６】
図１Ｂを参照する。図１Ｂは抵抗性タッチスクリーン上に単一の接触点がある場合を示す。ここで、V1はV2と等しく、V3はV4と等しくなければならないことが分かる。図５Ｂを参照する。図５Ｂは、x2＞x1且つy1＝y2のとき、抵抗性タッチスクリーン上に２つの接触点がある場合を示す。ここで、V1はV2と等しく、V3はV4と等しくなければならないことが分かる。図６Ｂを参照する。図６Ｂは、x2＝x1且つy1＜y2のとき、抵抗性タッチスクリーン上に２つの接触点がある場合を示す。ここで、V1はV2と等しく、V3はV4と等しくなければならないことが分かる。図３Ｂを参照する。図３Ｂは、x2＞x1且つy2＞y1のとき、抵抗性タッチスクリーン上に２つの接触点がある場合を示す。ここで、V1はV2より大きく、V3はV4より大きくなければならないことが分かる。図４Ｂを参照する。図４Ｂは、x2＞x1且つy2＜y1のとき、抵抗性タッチスクリーン上に２つの接触点がある場合を示す。ここで、V1はV2より小さく、V3はV4より小さくなければならないことが分かる。
【００２７】
マイクロプロセッサー２８０は、測定電圧V1−V4に従い抵抗性タッチスクリーン上の接触点に関する情報を導出して良い。動作中、V1＝V2且つV3＝V4のとき、マイクロプロセッサー２８０は、抵抗性タッチスクリーン上に単一の接触点又は同一のx及びy座標を有する２つの接触点があると判断して良い。V1＞V2且つV3＞V4のとき、マイクロプロセッサー２８０は、x2＞x1且つy2＞y1のときに抵抗性タッチスクリーン上に２つの接触点があると判断して良い。V1＜V2且つV3＜V4のとき、マイクロプロセッサー２８０は、x2＞x1且つy2＜y1のときに抵抗性タッチスクリーン上に２つの接触点があると判断して良い。
【００２８】
好適な実施例では、V1をV2と、及びV3をV4と比較する場合に、弁別閾値THD1、THD2の対が設定される。第１の弁別閾値THD1はゼロより小さいか又はゼロに等しい。また、第２の弁別閾値THD2はゼロより大きいか又はゼロに等しい。弁別閾値THD1及びTHD2は、複数の接触点が同時に狭い領域に存在することを防ぐために非常に重要である。更に、これらの弁別閾値は、厳密にグループ化された接触点のセットを単純に単一の点として考えるために役立つ。電気的雑音及び温度に基づく抵抗性タッチスクリーン２２０の応答の変化は、THD1及びTHD2がゼロに等しく又はゼロの近くに設定された場合に、複数の接触点として紛らわしく現れ得る。従って、THD1≦V1−V2≦THD2且つTHD1≦V3−V4≦THD2のとき、マイクロプロセッサー２８０は、抵抗性タッチスクリーン上に単一の接触点又は同一のx及びy座標を有する２つの接触点があると判断して良い。V1−V2＞THD2且つV3−V4＞THD2のとき、マイクロプロセッサー２８０は、x2＞x1且つy2＞y1のときに抵抗性タッチスクリーン上に２つの接触点があると判断して良い。V1−V2＜THD1且つV3−V4＜THD1のとき、マイクロプロセッサー２８０は、x2＞x1且つy2＜y1のときに抵抗性タッチスクリーン上に２つの接触点があると判断して良い。
【００２９】
本発明の更なる理解のため、図８Ａ及び８Ｂは共に、本発明のある実施例による、抵抗性タッチスクリーン上の単一又は複数の接触点を検出する処理又はフローチャートを示す。
【００３０】
動作８０２で、正端子YPは基準電圧Vref+と接続され、負端子YNは接地され、正端子XPの電圧値V1及び負端子XNの電圧値V2が測定される。
【００３１】
動作804で、正端子XPは基準電圧Vref+と接続され、負端子XNは接地され、正端子XPの電圧値V3及び負端子XNの電圧値V4が測定される。
【００３２】
動作８０６で、電圧値V1とV2との間の第１の差V1−V2、及び電圧値V3とV4との間の第２の差V3−V4が求められる。
【００３３】
動作８０８で、第１の差V1−V2は第１の弁別閾値THD1及び第２の弁別閾値THD2と比較され、第２の差V3−V4は第１の弁別閾値THD1及び第２の弁別閾値THD2と比較される。
【００３４】
THD1≦V1−V2≦THD2且つTHD1≦V3−V4≦THD2のとき、処理は810で、抵抗性タッチスクリーン上に単一の接触点又は同一のx及びy座標を有する２つの接触点があると示す。V1−V2＞THD2且つV3−V4＞THD2のとき、処理フローは８１２で、x2＞x1且つy2＞y1のときに抵抗性タッチスクリーン上に２つの接触点があると示す。V1−V2＜THD1且つV3−V4＜THD1のとき、処理フローは814で、x2＞x1且つy2＜y1のときに抵抗性タッチスクリーン上に２つの接触点があると示す。
【００３５】
図８Ｂを参照する。動作810の後、処理は８１６へ続き、正端子YPは基準電圧Vref+と接続され、負端子XNは接地され、正端子XPの電圧値V5及び負端子YNの電圧値V6が測定される。
【００３６】
段階８１８で、抵抗性タッチスクリーン上に単一の接触点のみがあると仮定する。次に、仮定の接触点の接触抵抗Rzの第１の値が次の式３に従い計算され、仮定の接触点の接触抵抗Rzの第２の値が次の式４に従い計算される。
【００３７】
図１Ｂを参照すると、端子YPはVref+と接続され、端子XNは接地され、電流は端子YPからR4、Rz、及びR3を通過し端子XNに到達する。電流は至る所で互いに等しく、従って次式が成り立つことが分かる。
V5/R3＝V6/(R3＋Rz)
上式を変形し、次式を得る。
Rz＝R3＊(V6/V5−１)
上述の式１を上式に代入し、次式を得る。
Rz１＝(V6/V5−１)＊Rxplate＊V3/VREF    (式３)
図１Ｂを参照すると、別の式が得られる。
V5/R3＝VREF/(R3＋Rz＋R4)
上式を変形し、次式を得る。
Rz＝R3＊(VREF/V5−１)―R4
式１、２、及びRyplate＝R4＋R6を上式に代入し式４を得る。
Rz２＝(VREF/V5−１)＊Rxplate＊V3/VREF−Ryplate＊(１−V1/VREF)    (式４)
従って、測定電圧値V3、V6、及びV5を式３に代入すると、VREF、Rxplateが分かっているので、接触抵抗Rzの第１の値Rz１が求められる。従って、測定電圧値V1、V3、及びV5を式４に代入すると、VREF、Rxplate、及びRyplateが分かっているので、接触抵抗Rzの第２の値Rz２が求められる。
【００３８】
第１の値Rz１と第２の値Rz２との差分値Rz１−Rz２は、次式に従い求められる。
Delta＝Rz１−Rz２＝Ryplate＊(１−V1/VREF)−(Rxplate＊V3/VREF)＊(VREF−V6)/V5
タッチスクリーン上に単一の接触点がある場合、差分値はゼロに等しくなければならない。図５Ａに示されるようにタッチスクリーン上に同一のy座標を有する２つの接触点がある場合の、抵抗性タッチスクリーンの等価電気回路は図５Ｂに示される。y型回路とΔ型回路との間の等価な関係により、図５Ｂに示される回路は図５Ｃに示される回路として等価的に示される。ここで、
R1＝R2＊Rz１/(R2＋Rz１＋Rz２)
R2＝R2＊Rz２/(R2＋Rz１＋Rz２)
R3＝Rz１＊Rz２/(R2＋Rz１＋Rz２)
更に、図５Ｂ及び図５Ｃに示された対応する端子の電圧値は、互いに等しい。つまり、V1＝V1’、V2＝V2’、V3＝V3’、V4＝V4’、及びV6＝V6’である。
【００３９】
従って次式を得る。
Delta’＝Ryplate＊(１−V1/VREF)−(Rxplate＊V3/VREF)＊(VREF−V6)/V5＝０
Rxplate’＝R1＋R3＋R1＋R2＝R1＋R3＋R2＊Rz１/(R2＋Rz１＋Rz２)＋R2＊Rz２/(R2＋Rz１＋Rz２)
＝R1＋R2//(Rz１＋Rz２)＋R3＜Rxplate
従って、図５Ａに示されるようにタッチスクリーン上に同一のy座標を有する２つの接触点がある場合、Delta＜Delta’＝０である。
【００４０】
同様に、図６Ａに示されるようにタッチスクリーン上に同一のx座標を有する２つの接触点がある場合、Delta＞Delta’＝０である。結果として、第１の値Rz１と第２の値Rz２との間の差分値Rz１−Rz２を分析することにより、次の法則を得る。タッチスクリーン上に単一の接触点がある場合には、差分値はゼロに近いか等しく、同一のy座標を有する２つの接触点がある場合には、差分値はゼロより小さく、同一のx座標を有する２つの接触点がある場合には、差分値はゼロより大きい。
【００４１】
再び図８Ｂを参照すると、処理は段階８２０へ進み、第１の値Rz１と第２の値Rz２との差分値Rz１−Rz２が求められる。次に、差分値Rz１−Rz２は、第３の弁別閾値ＴＨＤ３及び第４の弁別閾値ＴＨＤ４と比較される。第３の弁別閾値ＴＨＤ３はゼロより小さいか又はゼロに等しい。また、第４の弁別閾値ＴＨＤ４はゼロより大きいか又はゼロに等しい。弁別閾値ＴＨＤ３、ＴＨＤ４は、種々の電気的雑音及び温度に基づく変動による誤判定を避けるために重要である。
【００４２】
動作822で、THD3≦Rz1−Rz2≦THD4の場合に、抵抗性タッチスクリーン上に単一の接触点があることを示す。段階824で、Rz1−Rz2≦THD3の場合に、抵抗性タッチスクリーン上に同一のy座標を有する２つの接触点があることを示す。段階826で、Rz1−Rz2＞THD４の場合に、抵抗性タッチスクリーン上に同一のx座標を有する２つの接触点があることを示す。
【００４３】
以上の記載では、抵抗性タッチスクリーン上に１つ又は２つの接触点があるか否かを検出すること及び報告することに主に焦点を当てた。以下の記載では、複数の接触点が検出された場合の動作を説明する。
【００４４】
２つの接触点が検出された場合には、各接触点の座標が計算される。従って、各接触点の座標を得るために、R2、R3、R5、R6、Rz1、及びRz2の値を求める必要がある。そのために、R2、R3、R5、R6、Rz1、及びRz2に関する少なくとも６個の式が必要である。従って、R2、R3、R5、R6、Rz1、及びRz2に関する少なくとも６個の式が測定電圧V1−V6に従い記載される場合、２つの既知の式、つまりRxplate=R1+R2+R3及びRyplate=R4+R5+R6を用いて、R2、R3、R5、R6、Rz1、及びRz2の値を求めることができる。
【００４５】
図４Ｂに示された等価電気回路は図３Ｂに示されたものと異なるので、図４Ｂに従い記載された６個の式は図３Ｂに従い記載されたものと異なり得る。それぞれ以下に説明される。図５Ｂ及び図６Ｂに示された等価電気回路は、図４Ｂ又は図３Ｂに示された等価電気回路の特別な場合と考えられるので、それらは別個に説明される。
【００４６】
図３Ｂを参照する。６個の対応する式は、x2＞x1且つy2＞y1のときに抵抗性タッチスクリーン上に２つの接触点P1、P2がある場合に記載され得る。
【００４７】
端子XPを基準電圧Vref+に設定し、端子XNを接地すると、次式が得られる。
Ra=R2//(Rz1+Rz2+R5)
R=Rz1+Rz2+R2+R5
Ix=VREF/(R1+R3+Ra)
ここで、Ixはx導電層を流れる電流を表し、Rz1は第１の接触点P1の接触抵抗を表し、Rz2は第２の接触点P2の接触抵抗を表す。
【００４８】
図３Ｂを参照すると、次の２つの式が得られる。
【００４９】
【数１】
2009282586.tif 000003
端子YPを基準電圧Vref+に設定し、端子YNを接地すると、次式が得られる。
Rb=R5//(Rz1+Rz2+R2)
R=Rz1+Rz2+R2+R5
Iy=VREF/(R4+R6+Rb)
ここでIyはy導電層を流れる電流を表す。
【００５０】
図３Ｂを参照すると、次の２つの式が得られる。
【００５１】
【数２】
2009282586.tif 000004
端子YPを基準電圧Vref+に設定し、端子XNを接地すると、次式が得られる。
Rc=(Rz1+R2)//(Rz2+R5)
Ip=VREF/(Rc+R4+R3)
R=Rz1+Rz2+R2+R5
ここでIpはy導電層からx導電層へ流れる電流を表す。
【００５２】
図３Ｂを参照すると、次の２つの式が得られる。
【００５３】
【数３】
2009282586.tif 000005
結果として、６個の対応する式(式５乃至１０)は、x2＞x1且つy2＞y1のときに抵抗性タッチスクリーン上に２つの接触点P1、P2がある場合に記載される。次に、式５乃至１０を測定電圧V1−V6に従い解くことにより、２つの既知の式、つまりRxplate=R1+R2+R3及びRyplate=R4+R5+R6を用いて、R2、R3、R5、R6、Rz1、及びRz2の値が求められる。最終的に、接触点P1及びP2の座標が求められる。
【００５４】
図４Ｂを参照する。６個の対応する式は、x2＞x1且つy2＜y1のときに抵抗性タッチスクリーン上に２つの接触点P1、P2がある場合に記載され得る。
【００５５】
端子XPを基準電圧Vref+に設定し、端子XNを接地すると、次式が得られる。
Ra=R2//(Rz1+Rz2+R5)
R=Rz1+Rz2+R2+R5
Ix=VREF/(R1+R3+Ra)
ここでIxはx導電層を流れる電流を表す。
【００５６】
図４Ｂを参照すると、次の２つの式が得られる。
【００５７】
【数４】
2009282586.tif 000006
端子YPを基準電圧Vref+に設定し、端子YNを接地すると、次式が得られる。
Rb=R5//(Rz1+Rz2+R2)
R=Rz1+Rz2+R2+R5
Iy=VREF/(R4+R6+Rb)
ここでIyはy導電層を流れる電流を表す。
【００５８】
図４Ｂを参照すると、次の２つの式が得られる。
【００５９】
【数５】
2009282586.tif 000007
端子YPを基準電圧Vref+に設定し、端子XNを接地すると、次式が得られる。
Rc=(Rz1+R2)//(Rz2+R5)
Ip=VREF/(Rc+R4+R3)
R=Rz1+Rz2+R2+R5
ここでIpはy導電層からx導電層へ流れる電流を表す。
【００６０】
図４Ｂを参照すると、次の２つの式が得られる。
【００６１】
【数６】
2009282586.tif 000008
結果として、６個の対応する式(式5’乃至１０’)は、x2＞x1且つy2＜y1のときに抵抗性タッチスクリーン上に２つの接触点P1、P2がある場合に記載される。次に、式５’乃至１０’を測定電圧V1−V6に従い解くことにより、２つの既知の式、つまりRxplate=R1+R2+R3及びRyplate=R4+R5+R6を用いて、R2、R3、R5、R6、Rz1、及びRz2の値が求められる。最終的に、接触点P1及びP2の座標が求められる。
【００６２】
２つの接触点が検出された場合には、２つの接触点の動向が決定される。２つの接触点の動向は、前進運動、後退運動、又は静止であって良い。２つの接触点の前進運動は、２つの接触点の間の距離が次第に近くなることを意味する。２つの接触点の後退運動は、２つの接触点の間の距離が次第に遠くなることを意味する。２つの接触点が静止しているとは、２つの接触点の間の距離が変化しないことを意味する。２つの接触点は分布が異なるので、２つの接触点の動向を決定する方法が異なって良い。
【００６３】
抵抗性タッチスクリーン上に同一のx座標又は同一のy座標を有する２つの接触点がある場合に、２つの接触点の動向を決定する３つの実施例が提供される。
【００６４】
上述のように、動作８２０における差分値Rz1−Rz2は次の法則を有する。同一のy座標を有する２つの接触点がある場合、差分値はゼロより小さい。同一のx座標を有する２つの接触点がある場合、差分値はゼロより大きい。更に、差分値Rz1−Rz2は以下の法則を更に有する。同一のy座標を有する２つの接触点の間の距離が大きいほど、差分値Rz1−Rz2の絶対値は大きくなる。同様に、同一のx座標を有する２つの接触点の間の距離が大きいほど、差分値Rz1−Rz2の絶対値は大きくなる。従って、２つの接触点の動向は更なる統計的法則に従い決定されて良い。
【００６５】
図９は、第１の実施例による、抵抗性タッチスクリーン上の同一のx又はy座標を有する２つの接触点の動向を決定するフローチャートである。動作９０２、９０４、及び９１４は、それぞれ図８Ｂの動作８２０、８２４、及び８２６と実質的に同様である。従って、動作９０２、９０４、及び９１４に関する説明はここでは省略される。
【００６６】
動作９０４の後、処理は動作９０６へ進み、現在の差分DCUR及び前の差分DPREとの間の差DCUR−DPREが計算される。現在の差分DCURは次回の前の差分DPREとして格納される。留意すべき点は、動作９０６が繰り返し実行されて良いことである。DCUR−DPRE＞Delta_limitの場合、動作９０８で、同一のy座標を有する２つの接触点は互いに前進運動すると示される。DCUR−DPRE<−Delta_limitの場合、動作９１０で、同一のy座標を有する２つの接触点は互いに後退運動すると示される。その他の場合、同一のy座標を有する２つの接触点は静止していると示される。Delta_limitは混乱を避けるための閾値として機能する。
【００６７】
動作914の後、処理は動作916へ進み、現在の差分DCUR及び前の差分DPREとの間の差DCUR−DPREが計算される。現在の差分DCURは次回の前の差分DPREとして格納される。留意すべき点は、動作916が繰り返し実行されて良いことである。DCUR−DPRE＞Delta_limitの場合、動作9１８で、同一のx座標を有する２つの接触点は互いに後退運動すると示される。DCUR−DPRE<−Delta_limitの場合、動作９２０で、同一のx座標を有する２つの接触点は互いに前進運動すると示される。その他の場合、同一のx座標を有する２つの接触点は静止していると示される。
【００６８】
第２の実施例では、抵抗性タッチスクリーン上の同一のx又はy座標を有する２つの接触点の動向を決定する別の方法が提供される。計算を簡単にするために、第１の接触点P1の接触圧力は第２の接触点P2の接触圧力と等しいとする。つまりRz=Rz1=Rz2である。更に、同一のy座標を有する２つの接触点はx軸方向に沿ってのみ動き、同一のx座標を有する２つの接触点はy軸方向に沿ってのみ動くとする。従って、図５Ｂに示されたR4又はR6は、２つの接触点が動く場合に変化しない。また、図６Ｂに示されたR1又はR3は、２つの接触点が動く場合に変化しない。
【００６９】
図６Ａに示されるように抵抗性タッチスクリーン上の２つの接触点が同一のx座標を有する場合、端子YPを基準電圧Vref+に設定し、端子XNを接地すると、次式が得られる。
【００７０】
【数７】
2009282586.tif 000009
ここでIはy導電層からx導電層へ流れる電流を表す。
【００７１】
上述の２つの式を解くと、次式を得る。
R5=V5*(Rz*Rz)/(V6−V5)/R3−2*Rz    (式１１)
式１１は、Rz及びR3の値が変化しない場合、単調増加関数であることが分かる。つまり、V5/(V6−V5)の値が増加すると、R5の値も増加する。更に、２つの接触点の動向はR5の値に従い決定されて良い。R5の値が増加することは、２つの接触点が互いに後退運動することを示して良い。また、R5の値が減少することは、２つの接触点が互いに前進運動することを示して良い。従って、V5/(V6−V5)の値は、同一のx座標を有する２つの接触点の動向を決定するために用いられ得る。
【００７２】
図５Ａに示されるように２つの接触点が同一のy座標を有する場合、端子YPを基準電圧Vref+に設定し、端子XNを接地すると、次式が得られる。
【００７３】
【数８】
2009282586.tif 000010
ここでIはy導電層からx導電層へ流れる電流を表す。
【００７４】
上述の２つの式を解くと、次式を得る。
R2=(VREF−V6)*Rz*Rz/R4/(V6−V5)−2*Rz    (式12)
式12は、Rz及びR4の値が変化しない場合、単調増加関数であることが分かる。つまり、(VREF−V6/(V6−V5)の値が増加すると、R2の値も増加する。更に、２つの接触点の動向はR2の値に従い決定されて良い。R2の値が増加することは、２つの接触点が互いに後退運動することを示して良い。また、R2の値が減少することは、２つの接触点が互いに前進運動することを示して良い。従って、(VREF−V6)/(V6−V5)の値は、同一のy座標を有する２つの接触点の動向を決定するために用いられ得る。
【００７５】
第３の実施例では、抵抗性タッチスクリーン上の同一のx又はy座標を有する２つの接触点の動向を決定する別の方法が提供される。本実施例では、唯一の前提として、２つの接触点が互いに一致している。つまりR1=R3又はR4=R6である。
【００７６】
タッチスクリーン上に同一のy座標を有する２つの接触点がある場合、タッチスクリーンの等価電気回路は図５Ｂ及び図５Ｃに示される。図５Ｂを参照する。端子YPを基準電圧Vref+に設定し、端子YNを接地すると、次式が得られる。
R4=Ryplate*(VREF−V1)/VREF
図５Ｂを参照する。端子YPを基準電圧Vref+に設定し、端子XNを接地すると、次式が得られる。
R3=(V6−V5)*R4/(VREF−V6)
R3+R2=V5*R4/(VREF−V6)    (１)
図５Ｂを参照する。端子XPを基準電圧Vref+に設定し、端子XNを接地すると、次式が得られる。
R1+R1=R3+R1=(VREF−V3)*(R3+R2)/V3    (2)
図５Ｃを参照する。y及びΔ型電気回路の間の従来の関係に従い、次式を得る。
R2=Rxplate−2*R3=R1+R2+R1*R2/R3    (３)
式(１)、(２)、及び(３)を解き、
【００７７】
【数９】
2009282586.tif 000011
と仮定すると、以下を得る。
R1=(d+f−e)/2
R2=d−(f−e)
R2=Rxplate−2*(f−R1)
R2の値は、同一のy座標を有する２つの接触点の間の距離を反映する。従って、同一のy座標を有する２つの接触点の動向が決定され得る。
【００７８】
タッチスクリーン上に同一のy座標を有する２つの接触点がある場合、タッチスクリーンの等価電気回路は図６Ｂ及び図６Ｃに示される。
【００７９】
図６Ｂを参照する。端子XPを基準電圧Vref+に設定し、端子XNを接地すると、次式が得られる。
R3=Rxplate*V3/VREF
図６Ｂを参照する。端子YPを基準電圧Vref+に設定し、端子XNを接地すると、次式が得られる。
R3=(V6−V5)*R3/V5
R4+R2=(VREF−V6)*R3/V5
図６Ｂを参照する。端子YPを基準電圧Vref+に設定し、端子YNを接地すると、次式が得られる。
R4+R1=(R4+R2)*V1/(VREF−V1)=(VREF−V6)*V1*R3/(V5*(VREF−V1))
図６Ｃを参照する。y及びΔ型電気回路の間の従来の関係に従い、次式を得る。
R1+R2+R1*R2/R3=Ryplate−R4−R6=Ryplate−2*R4
これらの式を解き、
【００８０】
【数１０】
2009282586.tif 000012
と設定すると、以下を得る。
R2=(d+e)/2
R1=(d−e)/2
R5=d+f/R3
R5の値は、同一のx座標を有する２つの接触点の間の距離を反映する。従って、同一のx座標を有する２つの接触点の動向が決定され得る。
【００８１】
x2＞x1且つy2＞y1のときに抵抗性タッチスクリーン上に２つの接触点がある場合、２つの接触点の動向を決定する２つの実施例が提供される。
【００８２】
第１の実施例では、計算を簡単にするために、第１の接触点P1の接触圧力が第２の接触点P2の接触圧力と等しく、第１の接触点P1は第２の接触点P2と抵抗性タッチスクリーンの中心に対し中心対称であり、x1＝y1、x2＝y2であると仮定した。この仮定は、図３Ｂに示されるRz1=Rz2、R1=R3、及びR4=R6を意味する。図１０は、x2＞x1且つy2＞y1のときに抵抗性タッチスクリーンの中心に対し互いに中心対称である２つの接触点がある場合の抵抗性タッチスクリーン２２０を概略的に示す。
【００８３】
図３Ｂを参照する。端子XPを基準電圧Vref+に設定し、端子XNを接地すると、次式が得られる。
IR1=VREF/(2*R1+(2Rz+R5)//R2)
IR5=R2/(2Rz+R2+R5)*IR1
ここでIR1は抵抗R1を流れる電流を表し、IR5は抵抗R5を流れる電流を表し、VREF=4096と仮定する。
【００８４】
従って次式を得る。
V3−V4=IR5*R5
=R2/(2Rz+R2+R5)*IR1*R5
=R2/(2Rz+R2+R5)*4096/(2*R1+(2r+R5)//R2)*R5
P1及びP2がそれぞれx及びy導電層の線形抵抗を表すと仮定すると、各導電層は各方向に沿って最大で212=4096分割に分割され得る。従って、p1=Rxplate/4096、P2=Ryplate/4096である。文字xは２つの接触点の間の距離を表し、x∈［0，4095］である。
【００８５】
v=V3−V4と設定し、R1=(Rxplate−p1*x)/2、R2=p1*x、R5=P2*xを上式に代入すると、次式を得る。
v=4096*p1*P2*x*x/((4096*p1−p1*x)*(p1*x+P2*x+2*Rz)+p1*x*(P2*x+2*Rz))  (式13)
図１３Ｂを参照する。端子YPを基準電圧Vref+に設定し、端子XNを接地すると、次式が得られる。
I=VREF/(R3+R4+(R2+Rz)//(R5+Rz))
V5=I*R3+I*(R5+Rz)/(R2+R5+2Rz)*R2
V6=I*R3+I*(R2+Rz)/(R2+R5+2Rz)*Rz
ここで、ＩはR3及びR4を通じて流れる電流を表す。
【００８６】
u=V5−V6と設定すると、u=I*((R5+Rz)*R2−(R2+Rz)*Rz)/(R2+R5+2Rz)であり、R1=(Rxplate−p1*x)/2、R4=(Ryplate−P2*x)/2、R2=p1*x、R5=P2*xをuの式に代入すると、次式を得る。
u=4096*2*((P2*x+Rz)*p1*x−(p1*x+Rz)*Rz)/((4096*p1−p1*x+4096*P2−P2*x)*(2*Rz+p1*x+P2*x)+2*(p1*x+Rz)*(P2*x+Rz))    (式14)
式１３及び１４を解くと、次式を得る。
x=1/2/(4096+u)*(33554432*v*p1+8192*u*p1*v+33554432*v*P2+8192*u*P2*v+8192*(67108864*p1*P2*v^2+8192*u*p1*P2*v^2−2*u^2*p1*v^2*P2+8192*u*P2^2*v^2+2*u^2*P2^2*v^2−33554432*u*P2^2*v−33554432*u*p1*v*P2−8192*u^2*P2^2*v−8192*u^2*p1*v*P2)^(1/2))/(4096*P2+v*p1)    (式１５)
従って、２つの接触点の間の距離xは、式１５に従い得られる。従って、図１０に示された２つの接触点の動向が決定され得る。
【００８７】
第２の実施例で、x2＞x1且つy2＞y1のときに２つの接触点の動向を決定する別の方法が以下に記載される。本実施例では、唯一の前提として、２つの接触点が互いに中心対称である。つまりR1=R3且つR4=R6である。
【００８８】
R2=x、VREF=4096と設定すると、次の通りである。
R1=R3=(XPlate−x)/2、R4=R6=(YPlate−k*x)/2、R5=k*x
ここで、ｋは２つの接触点により形成される最短距離の直線の傾斜に関する定数であり、XPlateは上述のRxplateであり、YPlateは上述のRyplateである。
【００８９】
図３Ｂを参照する。端子YPを基準電圧Vref+に設定し、端子YNを接地すると、次式が得られる。
4096*((YPlate−k*x)*(x+k*x+Rz1+Rz2)/2+k*x*(Rz2+x))−V1*(k*x*(Rz1+Rz2+x)+(YPlate−k*x)*(x+Rz1+Rz2+k*x))=0    (1)4096*((YPlate−k*x)*(x+k*x+Rz1+Rz2)/2+k*x*(Rz2))−V2*(k*x*(Rz1+Rz2+x)+(YPlate−k*x)*(x+Rz1+Rz2+k*x))=0    (２)
図３Ｂを参照する。端子YPを基準電圧Vref+に設定し、端子XNを接地すると、次式が得られる。
4096*((XPlate−x)*(x+k*x+Rz1+Rz2)/2+(k*x+Rz2)*x)−V5*(((XPlate−x)/2+(YPlate−k*x)/2)*(x+k*x+Rz1+Rz2)+(x+Rz1)*(k*x+Rz2))=0    (３)
4096*((XPlate−x)*(x+k*x+Rz1+Rz2)/2+(x+Rz1)*Rz2)−V6*(((XPlate−x)/2+(YPlate−k*x)/2)*(x+k*x+Rz1+Rz2)+(x+Rz1)*(k*x+Rz2))=0    (4)
図３Ｂを参照する。端子XPを基準電圧Vref+に設定し、端子XNを接地すると、次式が得られる。
4096*((XPlate−x)*(x+k*x+Rz1+Rz2)/2+x*(Rz2+k*x))−Vx*(x*(Rz1+Rz2+k*x)+(XPlate−x)*(x+Rz1+Rz2+k*x))=0    (5)
4096*((XPlate−x)*(x+k*x+Rz1+Rz2)/2+x*(Rz2))−VXN*(x*(Rz1+Rz2+k*x)+(XPlate−x)*(x+Rz1+Rz2+k*x))=0    (6)
Matlabツールの支援により式(１)乃至(６)のうちの４つを解くと、ｋ及びxが得られる。
k=−1/4*(−4096*V5*YPlate−V5*Vx*XPlate+8192*Vx*XPlate+VXN*XPlate*V5−2*V6*XPlate*Vx−(VXN^2*XPlate^2*V5^2+16384*V5*Vx*XPlate*YPlate*V6−8192*Vx*V5^2*YPlate*XPlate+16777216*YPlate^2*V5^2+8192*VXN*V5^2*XPlate*YPlate−67108864*V5*YPlate*Vx*XPlate−4*VXN*XPlate^2*V5*V6*Vx−32768*Vx^2*XPlate^2*V6+4*V6^2*XPlate^2*Vx^2−16384*V5*XPlate^2*Vx^2−2*V5^2*XPlate^2*Vx*VXN+16384*Vx*XPlate^2*V5*VXN+4*V5*XPlate^2*Vx^2*V6+V5^2*XPlate^2*Vx^2+67108864*Vx^2*XPlate^2−8*V5^2*YPlate*VXN*XPlate*Vx+8*Vx^2*V5^2*YPlate*XPlate)^(1/2))/V5/XPlate/(Vx−2048)
x=(−2048*V5*XPlate*k^2+V5*k^2*Vx*XPlate−2048*V5*YPlate*k−2048*V5*k*XPlate+V5*k*XPlate*Vx−V6*XPlate*k*Vx+4096*Vx*XPlate*k−2048*V5*YPlate−V6*XPlate*Vx+4096*Vx*XPlate+(4096*V5^2*YPlate^2*k*Vx−2*Vx^2*V6^2*YPlate*XPlate−8192*V5*k*XPlate^2*Vx^2−2*V5^2*YPlate*k^2*Vx^2*XPlate−24576*V6*XPlate^2*Vx^2*k+67108864*k*Vx^2*XPlate^2+8192*XPlate*V6*YPlate*Vx^2−8192*XPlate*k*V5*YPlate*Vx^2+4194304*k^2*V5^2*YPlate^2+2*V6*XPlate^2*k*V5*Vx^2−8192*XPlate*V5*YPlate*Vx^2+8388608*V5^2*k*YPlate*XPlate+4194304*V5^2*k^2*XPlate^2+16777216*k^2*XPlate*V5^2*YPlate+8388608*V5^2*k^3*XPlate^2+8388608*YPlate*V5^2*XPlate*k^3+2*Vx^2*V6^2*XPlate^2*k−8192*V5^2*k^3*XPlate^2*Vx+2*V5^2*k^3*XPlate^2*Vx^2+2*V6*XPlate*Vx^2*V5*YPlate+8388608*k*V5^2*YPlate^2−4096*V6*YPlate^2*V5*Vx−2*Vx^2*XPlate^2*k^3*V6*V5−V5^2*k^2*Vx^2*XPlate^2−16777216*Vx*XPlate*k^2*V5*YPlate−4096*k^3*V5^2*YPlate*Vx*XPlate+4096*Vx*XPlate*k^2*V6*YPlate*V5+V5^2*YPlate^2*Vx^2+8192*V6*XPlate^2*k^2*Vx*V5+4096*V6*XPlate*k*Vx*V5*YPlate−4*V6*XPlate^2*k^2*Vx^2*V5+4*V6*XPlate*k*Vx^2*V5*YPlate−8192*Vx^2*XPlate^2*k^2*V6−4096*V5^2*XPlate^2*k^4*Vx−16777216*V5*XPlate^2*k^3*Vx+4096*V5*XPlate^2*k^3*V6*Vx+4194304*V5^2*YPlate^2+24576*V5*k^2*Vx^2*XPlate^2−50331648*V5*k^2*Vx*XPlate^2−50331648*XPlate*V5*YPlate*k*Vx−4096*V5^2*YPlate*k^2*Vx*XPlate+4194304*V5^2*XPlate^2*k^4+16777216*Vx^2*XPlate^2*k^2+Vx^2*XPlate^2*k^2*V6^2+Vx^2*XPlate^2*k^4*V5^2+8192*Vx^2*XPlate^2*k^3*V5)^(1/2))/Vx/(V5*k−V6+4096)
ここで、Vx=V3、VXN=V4、Vy=V1、VYN=V2である。
【００９０】
従って、x2＞x1且つy2＞y1である２つの接触点の間の距離xが得られる。従って、x2＞x1且つy2＞y1である２つの接触点の動向が決定され得る。
【００９１】
x2＞x1且つy2＜y1のときに抵抗性タッチスクリーン上に２つの接触点がある場合、２つの接触点の動向を決定する２つの実施例が提供される。
【００９２】
第１の実施例では、計算を簡単にするために、第１の接触点P1の接触圧力が第２の接触点P2の接触圧力と等しく、第１の接触点P1は第２の接触点P2と抵抗性タッチスクリーンの中心に対し中心対称であり、x1＝y1、x2＝y2であると仮定する。この仮定は、図４Ｂに示されるRz1=Rz2、R1=R3、及びR4=R6を意味する。図11は、x2＞x1且つy2＜y1のときに抵抗性タッチスクリーンの中心に対し互いに中心対称である２つの接触点がある場合の抵抗性タッチスクリーン２２０を概略的に示す。
【００９３】
図４Ｂを参照する。端子XPを基準電圧Vref+に設定し、端子XNを接地すると、次式が得られる。
v=V4−V3
=4096*p1*P2*x*x/((4096*p1−p1*x)*(p1*x+P2*x+2*Rz)+p1*x*(P2*x+2*Rz))    (式16)
図４Ｂを参照する。端子YPを基準電圧Vref+に設定し、端子XNを接地すると、次式が得られる。
I=Vref/(R3+R4+(R2+R5+Rz)//Rz)
V5=I*R3+I*Rz/(R2+R5+2Rz)*R2
V6=I*R3+I*Rz/(R2+R5+2Rz)*(R2+Rz)
ここで、ＩはR3及びR4を通じて流れる電流を表す。本実施例ではVref+=4096と仮定する。
u=V6−V5と設定すると、u=I*Rz*Rz/(R2+R5+2Rz)である。
【００９４】
R3=(Rxplate−p1*x)/2、R4=(Ryplate−P2*x)/2、R2=p1*x、R5=P2*xをuの式に代入すると、次式を得る。
u=4096*2*Rz*Rz/((4096*p1+4096*P2−p1*XP2*x)*(2*Rz+p1*x+P2*x)+2*Rz*(Rz+p1*x+P2*x))    (式17)
式１３及び１４を解くと、次式を得る。
x=1/2/(−4096+u)*(−33554432*v*p1+8192*u*p1*v−33554432*v*P2+8192*u*P2*v−8192*(−8192*u*p1*P2*v^2+2*u^2*p1*v^2*P2−8192*u*P2^2*v^2+2*u^2*P2^2*v^2+33554432*u*p1*v*P2+33554432*u*P2^2*v−8192*u^2*p1*v*P2−8192*u^2*P2^2*v)^(1/2))/(4096*P2+v*p1)    (式18)
従って、２つの接触点の間の距離xは、式17に従い得られる。従って、図11に示された２つの接触点の動向が決定され得る。
【００９５】
第２の実施例で、x2＞x1且つy2＜y1のときに２つの接触点の動向を決定する別の方法が以下に記載される。本実施例では、唯一の前提として、２つの接触点が互いに中心対称である。つまりR1=R3且つR4=R6である。
【００９６】
R2=x、Vref=4096と設定すると、次の通りである。
R1=R3=(XPlate−x)/2、R4=R6=(YPlate−k*x)/2、R5=k*x
ここで、ｋは２つの接触点により形成される最短距離の直線の傾斜に関する定数であり、XPlateは上述のRxplateであり、YPlateは上述のRyplateである。
【００９７】
図４Ｂを参照する。端子YPを基準電圧Vref+に設定し、端子XNを接地すると、次式が得られる。
4096*((YPlate−k*x)*(x+k*x+z1+z2)/2+k*x*(z1+x))−VYN*(k*x*(z1+z2+x)+(YPlate−k*x)*(x+z1+z2+k*x))=0    (1’)
4096*((YPlate−k*x)*(x+k*x+z1+z2)/2+k*x*(z1))−Vy*(k*x*(z1+z2+x)+(YPlate−k*x)*(x+z1+z2+k*x))=0    (2’)
図４Ｂを参照する。端子YPを基準電圧Vref+に設定し、端子XNを接地すると、次式が得られる。
((XPlate−x)*(x+k*x+z1+z2)/2+z2*x)*V6−V5*((XPlate−x)*(x+k*x+z1+z2)/2+z2*(x+z1))=0    (3’)
4096*z1*z2−(V6−V5)*((XPlate−x+YPlate−k*x)*(x+k*x+z1+z2)/2+(x+k*x+z1)*z2)=0    (4’)
図４Ｂを参照する。端子XPを基準電圧Vref+に設定し、端子XNを接地すると、次式が得られる。
4096*((XPlate−x)*(x+k*x+z1+z2)/2+x*(z2+k*x))−VXN*(x*(z1+z2+k*x)+(XPlate−x)*(x+z1+z2+k*x))=0    (5’)
4096*((XPlate−x)*(x+k*x+z1+z2)/2+x*(z2))−Vx*(x*(z1+z2+k*x)+(XPlate−x)*(x+z1+z2+k*x))=0    (6’)
Matlabツールの支援により式(１’)乃至(６’)のうちの４つを解くと、ｋ及びxが得られる。
k=1/4*(XPlate*V5*VXN+8192*Vx*XPlate−2*V6*Vx*XPlate−4096*V5*YPlate−V5*XPlate*Vx−(−32768*V6*Vx^2*XPlate^2−2*XPlate^2*V5^2*VXN*Vx+4*XPlate^2*V5*V6*Vx^2+16384*Vx*V6*V5*YPlate*XPlate−67108864*XPlate*V5*YPlate*Vx+67108864*Vx^2*XPlate^2+8192*XPlate*V5^2*YPlate*VXN−8192*XPlate*V5^2*YPlate*Vx−16384*V5*XPlate^2*Vx^2+16384*V5*XPlate^2*VXN*Vx+XPlate^2*V5^2*Vx^2+XPlate^2*V5^2*VXN^2+16777216*V5^2*YPlate^2−4*XPlate^2*V5*VXN*V6*Vx+4*V6^2*Vx^2*XPlate^2−8*XPlate*V5^2*YPlate*VXN*Vx+8*XPlate*V5^2*YPlate*Vx^2)^(1/2))/XPlate/V5/(−2048+Vx)x=(XPlate*V5*k*VXN−XPlate*V5*k*Vx+XPlate*V5*VXN−V5*XPlate*Vx+(XPlate^2*V5^2*VXN^2*k^2−2*k^2*V5^2*XPlate^2*Vx*VXN+2*XPlate^2*V5^2*k*VXN^2−8*XPlate^2*V5^2*k*VXN*Vx+5*V5^2*XPlate^2*Vx^2*k^2+6*XPlate^2*V5^2*k*Vx^2+4*XPlate*V5^2*YPlate*VXN*Vx−8192*XPlate*YPlate*V5^2*k*VXN−16384*XPlate^2*Vx*V5^2*k^2+8192*XPlate*YPlate*V5^2*k*Vx+16384*XPlate^2*V5*VXN*Vx*k−16384*XPlate^2*V5*k*Vx^2−2*XPlate*YPlate*V5^2*Vx^2+16777216*XPlate^2*V5^2*k^2−2*XPlate*YPlate*V5^2*VXN^2)^(1/2))/V5/(−Vx+VXN+4096*k)
ここで、Vx=V3、VXN=V4、Vy=V1、VYN=V2である。
【００９８】
従って、x2＞x1且つy2＜y1である２つの接触点の間の距離xが得られる。従って、x2＞x1且つy2＜y1である２つの接触点の動向が決定され得る。
【００９９】
本発明はある程度の特殊性をもって十分詳細に説明された。当業者に理解されるべき点は、実施例が単に例として本願明細書に開示されたこと、並びに請求される本発明の精神と範囲から逸脱することなく構成及び部分の組合せに多数の変更が行われ得ることである。従って、本発明の範囲は、前述の実施例ではなく特許請求の範囲により定められる。
【図面の簡単な説明】
【０１００】
【図１Ａ】従来の４線抵抗性タッチスクリーンを示す概略図である。
【図１Ｂ】単一の接触点が抵抗性タッチスクリーンに存在する場合の、抵抗性タッチスクリーンの等価電気回路を示す回路図である。
【図２】抵抗性タッチスクリーン上の複数の接触点を検出する改良された技術が必要である。
【図３Ａ】x2＞x1且つy2＞y1、x2及びy2は第２の接触点P2のx及びy座標を表し、x1及びy1は第２の接触点Ｐ１のx及びy座標を表すとき、抵抗性タッチスクリーンに２つの接触点がある場合の抵抗性タッチスクリーン２２０を概略的に示す。
【図３Ｂ】図３Ａに示された抵抗性タッチスクリーン２２０の等価回路を示す。
【図４Ａ】x2＞x1且つy1＞y2のとき、抵抗性タッチスクリーン上に２つの接触点がある場合の抵抗性タッチスクリーンを概略的に示す。
【図４Ｂ】図４Ａに示された抵抗性タッチスクリーン２２０の等価回路を示す。
【図５Ａ】x2＞x1且つy1＝y2のとき、抵抗性タッチスクリーン上に２つの接触点がある場合の抵抗性タッチスクリーン２２０を概略的に示す。
【図５Ｂ】図５Ａに示された抵抗性タッチスクリーン２２０の等価回路を示す。
【図６Ａ】x2＝x1且つy1＜y2のとき、抵抗性タッチスクリーン上に２つの接触点がある場合の抵抗性タッチスクリーン２２０を概略的に示す。
【図６Ｂ】図６Ａに示された抵抗性タッチスクリーン２２０の等価回路を示す。
【図７】本発明のある実施例によるセレクタ２４０の構造の例を示すブロック図である。
【図８Ａ】本発明のある実施例による、抵抗性タッチスクリーン上の単一又は複数の接触点を検出する処理又はフローチャートを示す。
【図８Ｂ】本発明のある実施例による、抵抗性タッチスクリーン上の単一又は複数の接触点を検出する処理又はフローチャートを示す。
【図９】第１の実施例による、抵抗性タッチスクリーン上の同一のx又はy座標を有する２つの接触点の動向を決定するフローチャートである。
【図１０】x2＞x1且つy2＞y1のときに抵抗性タッチスクリーンの中心に対し互いに中心対称である２つの接触点がある場合の抵抗性タッチスクリーン２２０を概略的に示す。
【図１１】x2＞x1且つy2＜y1のときに抵抗性タッチスクリーンの中心に対し互いに中心対称である２つの接触点がある場合の抵抗性タッチスクリーン２２０を概略的に示す。
【符号の説明】
【０１０１】
２００  システム
２２０  抵抗性タッチスクリーン
２４０  セレクタ
２４２  Ｖｒｅｆ＋セレクタ
２４４  測定端子セレクタ
２４６  Ｖｒｅｆ−セレクタ
２４８  モード制御部
２６０  アナログ−デジタル変換器(ＡＤＣ)
２８０  マイクロプロセッサー
Ｐ１、Ｐ２  接触点
Ｒ１〜Ｒ６  抵抗
Ｖ１〜Ｖ６  電圧値
ＶＲＥＦ  Vref+とVref−との間の電位差
Ｖｒｅｆ＋  正の基準電圧
Ｖｒｅｆ−  負の基準電圧
ＸＮ、ＹＮ  負端子
ＸＰ、ＹＰ  正端子
ｘ１、ｘ２  ｘ座標
ｙ１、ｙ２  ｙ座標
【図１Ａ】
2009282586.tif 000013
【図１Ｂ】
2009282586.tif 000014
【図２】
2009282586.tif 000015
【図３Ａ】
2009282586.tif 000016
【図３Ｂ】
2009282586.tif 000017
【図４Ａ】
2009282586.tif 000018
【図４Ｂ】
2009282586.tif 000019
【図５Ａ】
2009282586.tif 000020
【図５Ｂ】
2009282586.tif 000021
【図５Ｃ】
2009282586.tif 000022
【図６Ａ】
2009282586.tif 000023
【図６Ｂ】
2009282586.tif 000024
【図６Ｃ】
2009282586.tif 000025
【図７】
2009282586.tif 000026
【図８Ａ】
2009282586.tif 000027
【図８Ｂ】
2009282586.tif 000028
【図９】
2009282586.tif 000029
【図１０】
2009282586.tif 000030
【図１１】
2009282586.tif 000031
【手続補正書】
【提出日】平成20年8月13日(2008.8.13)
【手続補正１】
【補正対象書類名】明細書
【補正対象項目名】０１００
【補正方法】変更
【補正の内容】
【０１００】
【図１Ａ】従来の４線抵抗性タッチスクリーンを示す概略図である。
【図１Ｂ】単一の接触点が抵抗性タッチスクリーンに存在する場合の、抵抗性タッチスクリーンの等価電気回路を示す回路図である。
【図２】抵抗性タッチスクリーン上の複数の接触点を検出する改良された技術が必要である。
【図３Ａ】x2＞x1且つy2＞y1、x2及びy2は第２の接触点P2のx及びy座標を表し、x1及びy1は第２の接触点Ｐ１のx及びy座標を表すとき、抵抗性タッチスクリーンに２つの接触点がある場合の抵抗性タッチスクリーン２２０を概略的に示す。
【図３Ｂ】図３Ａに示された抵抗性タッチスクリーン２２０の等価回路を示す。
【図４Ａ】x2＞x1且つy1＞y2のとき、抵抗性タッチスクリーン上に２つの接触点がある場合の抵抗性タッチスクリーンを概略的に示す。
【図４Ｂ】図４Ａに示された抵抗性タッチスクリーン２２０の等価回路を示す。
【図５Ａ】x2＞x1且つy1＝y2のとき、抵抗性タッチスクリーン上に２つの接触点がある場合の抵抗性タッチスクリーン２２０を概略的に示す。
【図５Ｂ】図５Ａに示された抵抗性タッチスクリーン２２０の等価回路を示す。
【図５Ｃ】図５Ｂに示された等価回路の計算された等価回路を示す。
【図６Ａ】x2＝x1且つy1＜y2のとき、抵抗性タッチスクリーン上に２つの接触点がある場合の抵抗性タッチスクリーン２２０を概略的に示す。
【図６Ｂ】図６Ａに示された抵抗性タッチスクリーン２２０の等価回路を示す。
【図６Ｃ】図６Ｂに示された等価回路の計算された等価回路を示す。
【図７】本発明のある実施例によるセレクタ２４０の構造の例を示すブロック図である。
【図８Ａ】本発明のある実施例による、抵抗性タッチスクリーン上の単一又は複数の接触点を検出する処理又はフローチャートを示す。
【図８Ｂ】本発明のある実施例による、抵抗性タッチスクリーン上の単一又は複数の接触点を検出する処理又はフローチャートを示す。
【図９】第１の実施例による、抵抗性タッチスクリーン上の同一のx又はy座標を有する２つの接触点の動向を決定するフローチャートである。
【図１０】x2＞x1且つy2＞y1のときに抵抗性タッチスクリーンの中心に対し互いに中心対称である２つの接触点がある場合の抵抗性タッチスクリーン２２０を概略的に示す。
【図１１】x2＞x1且つy2＜y1のときに抵抗性タッチスクリーンの中心に対し互いに中心対称である２つの接触点がある場合の抵抗性タッチスクリーン２２０を概略的に示す。
【外国語明細書】
2009282586.tif 000032
2009282586.tif 000033
2009282586.tif 000034
2009282586.tif 000035
2009282586.tif 000036
2009282586.tif 000037
2009282586.tif 000038
2009282586.tif 000039
2009282586.tif 000040
2009282586.tif 000041
2009282586.tif 000042
2009282586.tif 000043
2009282586.tif 000044
2009282586.tif 000045
2009282586.tif 000046
2009282586.tif 000047
2009282586.tif 000048
2009282586.tif 000049
2009282586.tif 000050
2009282586.tif 000051
2009282586.tif 000052
2009282586.tif 000053
2009282586.tif 000054
2009282586.tif 000055
2009282586.tif 000056
2009282586.tif 000057
2009282586.tif 000058
2009282586.tif 000059
2009282586.tif 000060
2009282586.tif 000061
2009282586.tif 000062
2009282586.tif 000063
2009282586.tif 000064
2009282586.tif 000065
2009282586.tif 000066
2009282586.tif 000067
2009282586.tif 000068
2009282586.tif 000069
2009282586.tif 000070
2009282586.tif 000071
2009282586.tif 000072
2009282586.tif 000073
2009282586.tif 000074
2009282586.tif 000075
2009282586.tif 000076
2009282586.tif 000077
2009282586.tif 000078
【図１Ａ】
2009282586.tif 000079
【図１Ｂ】
2009282586.tif 000080
【図２】
2009282586.tif 000081
【図３Ａ】
2009282586.tif 000082
【図３Ｂ】
2009282586.tif 000083
【図４Ａ】
2009282586.tif 000084
【図４Ｂ】
2009282586.tif 000085
【図５Ａ】
2009282586.tif 000086
【図５Ｂ】
2009282586.tif 000087
【図５Ｃ】
2009282586.tif 000088
【図６Ａ】
2009282586.tif 000089
【図６Ｂ】
2009282586.tif 000090
【図６Ｃ】
2009282586.tif 000091
【図７】
2009282586.tif 000092
【図８Ａ】
2009282586.tif 000093
【図８Ｂ】
2009282586.tif 000094
【図９】
2009282586.tif 000095
【図１０】
2009282586.tif 000096
【図１１】
2009282586.tif 000097